Podtech/llm-jp-corpus-v4-ja_patent huggingface dataset:
(57)【要約】［課題］  本考案は、化粧後着替えるときに化粧を従来の物より衣服に付けないようにし、よりカバーが外れにくく持ち運びやすくする。［解決手段］  本考案はカバー本体の素材を薄い不織布又は目の細かいネットを使用することによって、着用時衣服の前後を確認できるようになった。ストッパー調節する事によって、カバー本体を巾着袋型にし、脱いだりする時に本体自体が顔から外れる事が無くなる。その事によって、衣服に化粧が付かなくなる。カラー布輪ゴムを付属させる事により、丸めてコンパクトに収納する事ができ、バック等でスペースを取らず簡単に持ち運びする事ができる。【選択図】  ［図１］
0003101530.tif 000002
【実用新案登録請求の範囲】
【請求項１】
薄い不織布、またはネットを使用し袋状にし紐とストッパーを付け調整可能にし、特に脱ぐ時にカバーが外れずに着替えを可能にする。
【考案の詳細な説明】
【考案の詳細な説明】
［従来の技術］
【０００１】  化粧後、衣服を着る時は従来あるカバー及びスカーフを顔に掛け、衣服に化粧が付かないように着替える。
［考案が解決しようとする課題］
【０００２】  しかしながら、脱ぐ時の着替えは衣服と一緒にカバーも脱げてしまいがちである為、衣服の汚れ防止が不完全である。
［課題を解決する為の手段］
【０００３】  カバーを不織布、又はネットを使用し袋状にし、袋口に紐とストッパーを付け首まで被り、首で紐とストッパーで調節。衣服を着る時はストッパー調節不要。
［考案の実施と形態］
【０００４】  以下、本考案の実施の形態を説明する。
イ  不織布又は細かい網目からなるネット（着用時に衣服の前後の確認ができる様、薄い材料を使用する。）を袋状にし縫い付ける。
ロ  袋の口を紐が通るよう内側に折り縫い付ける。
ハ  袋の口に紐（色落ちしない様アクリル素材を使用。）を通し、巾着袋型にする。
ニ  紐の先端に、調整する為のストッパーと丸めてコンパクトに収納するときのカラー布輪ゴムをつける。
本考案は、以上の構成よりなっている。
本考案を使用する時は、化粧後衣服を着たり脱いだりする時に頭から被り使用する。
［考案の効果］
【０００５】  本考案を使用する事によって、従来の物より化粧後衣服を脱いだり着たりする時に外れる事もなくなり、より衣服に化粧が付く事が無くなり、カラーの布輪ゴムを付ける事によってバックなどにも収納しやすくなる。
【図面の簡単な説明】
【図１】  本考案の正面からの図である。
【図２】  本考案の使用状態を示す正面からの図である。
【図３】  本考案の収納状態を示す斜視図である。
【符号の説明】
１  不織布又はネット
２  紐
３  ストッパー
４  カラー布輪ゴム
５  紐止め金具
【図１】
0003101530.tif 000003
【図２】
0003101530.tif 000004
【図３】
0003101530.tif 000005
【手続補正書】
【提出日】平成15年12月11日(2003.12.11)
【手続補正１】
【補正対象書類名】実用新案登録請求の範囲
【補正対象項目名】全文
【補正方法】変更
【補正の内容】
【実用新案登録請求の範囲】
【請求項１】
・薄い不織布、叉は細かい編目のネットを使用し袋口に紐を通しストッパーを付け開閉調整を可にし衣服着脱時の衣服の首回り汚れ防止カバー。
(57)【要約】      （修正有）【課題】装着し易い帯留を提供する。【解決手段】帯留の両端の穴から穴へ斜めに溝をつける事により帯締をしめた後でも、正面から斜めに被せ横向けにするだけで装着出来る。【選択図】図１
0003101525.tif 000002
【実用新案登録請求の範囲】
【請求項１】
端の穴から反対側の穴まで、斜めに溝をつけた帯留。
【考案の詳細な説明】
【技術分野】
【０００１】  本考案は、着物の帯留等に関するものである。
【背景技術】
【０００２】  従来は両端に穴が開いてるだけだった。
【考案の開示】
【考案が解決しようとする課題】
【０００３】  従来は穴が小さく、帯締の端が大きい場合、取付けるのが困難だった。
【課題を解決するための手段】
【０００４】  本考案は、帯留の端の穴から反対側の穴まで、斜めに溝をつけた。
【考案の効果】
【０００５】  従来は帯留の穴に帯締の端から通していたが、本考案の効果は帯締をしめた後でも、正面から斜めに被せ横向けにするだけで装着出来る
【図面の簡単な説明】
【０００６】
【図１】  帯留と帯締の外観図
【図２】  帯留の装着方法をしめす、帯留と帯締の底面図
【符号の説明】
【０００７】    １  帯留
２  帯締
３  帯留
４  帯締
【図１】
0003101525.tif 000003
【図２】
0003101525.tif 000004
【手続補正書】
【提出日】平成15年11月1日(2003.11.1)
【手続補正１】
【補正対象書類名】実用新案登録請求の範囲
【補正対象項目名】全文
【補正方法】変更
【補正の内容】
【実用新案登録請求の範囲】
【請求項１】
端の穴から反対側の穴まで、斜めに切れ目をつけた帯留。
(57)【要約】      （修正有）【課題】防雪柵を設置あるいは収納するに当たりその主柱の立て込み，横倒しを安全に行なえる装置を提供する。【解決手段】防雪柵の主柱とほぼ同じ高さの柱の先端にワイヤーを掛ける為のプーリー2が取り付けてあり、この装置の下部にはワイヤーを巻き上げるウインチ3を備え、底部にはキャスター4が取り付けてある。先端にフックの付いたワイヤーをウインチから繰り出しプーリーを介してワイヤーを伸ばし、対象物にフックを掛け、ワイヤーを巻き上げたり、緩めたりできるようにしてある。この装置を防雪柵の主柱の横にセットし、フックを主柱の先端に引っ掛け、主柱の引き起こし、または横倒しを行なう。【選択図】図１
0003101524.tif 000002
【実用新案登録請求の範囲】
【請求項１】
防雪柵の主柱とほぼ同じ高さの柱を持ちその先端にワイヤーを掛ける為のプーリーが取り付けてあり，この装置の下部にはワイヤーを巻き上げるウインチを備え，それらを一体として移動し易いように底部にキャスターが取り付けてあり、それを防雪柵の主柱の場所まで移動させて固定し，先端にフックの付いたワイヤーをウインチから繰り出し、プーリーを介して，折り曲げて寝かせてある主柱の先端部にフックを掛けて、ウインチを巻き上げて主柱を起こし垂直に設置する。あるいは主柱を倒す時は垂直に立っている主柱の先端にフックを掛け、主柱のロックを解除しウインチを緩めて主柱を安全に横に倒すことができる防雪柵主柱立て込み装置。
【考案の詳細な説明】
【考案の詳細な説明】
【技術分野】
【０００１】  防雪柵の設置あるいは収納に係る装置に関する。
【背景技術】
【０００２】  従来積雪地において使用されている防雪柵には吹止式または吹払式があるが、いずれにしても年間通して設置したままにしておくと、積雪期以外は景観を損ね、自動車運転者に閉塞感を与えるので、積雪期のみ設置し，それ以外の期間は収納するようになってきた。【０００３】  防雪柵の設置・収納は防雪板を一枚づつ取り外し、下部に積み重ねて置くのであるが、主柱のみ残しておくのはやはり目障りなので、これも撤去する必要があった。そこで主柱をその場所で横に倒して防雪板の上に置く方法が取られるようになった。【０００４】  しかし主柱は高さ約３〜５．５メートル、重さ６０〜１２０キログラムもあるので，主柱の設置時に、主柱にロープを掛けて人力で吊り上げたり，下げたりする折，作業員に危険が伴う事があった。
【考案が解決しようとする課題】
【０００５】  防雪柵を設置あるいは収納するに当たりその主柱の立て込み，横倒しを安全に行なえる装置を提供する。
【課題を解決するための手段】
【０００６】  本考案は上記問題に鑑みてなされたものであり、防雪柵の主柱とほぼ同じ高さの柱の先端にワイヤーを掛ける為のプーリーが取り付けてあり、この装置の下部にはワイヤーを巻き上げるウインチを備え、それらを一体として移動し易いように底部にキャスターが取り付けてある。先端にフックの付いたワイヤーをウインチから繰り出しプリーを介して、対象物にフックを掛け、ワイヤーを巻き上げたり、緩めたりできるようにしてある。
【作用】
【０００７】  上記考案によれば、防雪柵の主柱の先端にフックを掛けウインチを巻き上げたり、緩めたりする事によりそれから繰り出されたワイヤーを介して、主柱を安全に起こしたり倒したりできる。装置にはキャスターが取り付けてあるので一作業が終わると次の主柱まで装置を簡単に移動させることができ、すぐ次の作業に取り掛かれる。
【実施例】
【０００８】  本考案の実施例を図面に基づいて説明すると、第１図は本装置の正面図と側面図であり、立て込み用柱１の先端にはワイヤーを掛けるためのプーリー２が取り付けてあり、装置下部にはワイヤーを巻き上げるためのウインチ３が備えてある。装置底部には移動用のキャスター４が取り付けてある。また装置底部にはこの装置を防雪柵主柱横の所定位置にセットするためのアーム５が取り付けてある．作業中この装置が動かないようしっかり固定するために、防雪柵と装置を結合する固定具６も取り付けてある。【０００９】  第２図は主柱を引き起こしている状態を表している図で、本装置と、煩雑さを避けるため防雪柵の主柱の部分だけが示してある。主柱７は回転軸８を中心に回転させて引き起こしたり、横倒ししたりできるようになっている。この図はワイヤー９がプーリー２を介して繰り出されており、ワイヤー先端のフック１０が主柱７の先端に引っ掛けてあり、ウインチ３を巻き上げて主柱をやや半分引き起こした状態を示してある。
【考案の効果】
【００１０】  以上説明したように、本考案によれば防雪柵の主柱の立て込みに当たっては、人力に拠らず、主柱を簡単に引き起こしたり、横倒ししたりすることができるので、作業が確実にかつ安全に行なえる。
【図面の簡単な説明】
【図１】本考案の概要を示す正面図と側面図。
【図２】主柱を引き起こしている状態を示す正面図。
【符号の説明】
１  立て込み用柱
２  プーリー
３  ウインチ
４  キャスター
５  アーム
６  固定具
７  防雪柵主柱
８  回転軸
９  ワイヤー
１０  フック
【図１】
0003101524.tif 000003
【図２】
0003101524.tif 000004
【手続補正書】
【提出日】平成15年11月4日(2003.11.4)
【手続補正１】
【補正対象書類名】実用新案登録請求の範囲
【補正対象項目名】全文
【補正方法】変更
【補正の内容】
【実用新案登録請求の範囲】
【請求項１】
防雪柵の主柱を架設したり、折り畳んで収納する装置において、
▲１▼防雪柵の主柱とほぼ同じ高さの柱を持ち、その先端にワイヤーを掛ける為のプーリーが取り付けてあり、この装置の下部にはワイヤーを巻き上げるウィンチを備え、それらを一体として移動し易いように底部にキャスターが取り付けてある。
▲２▼その装置を防雪柵の主柱の場所まで移動させて固定し、先端にフックの付いたワイヤーをウィンチから繰り出し、プーリーを介して、折り曲げて寝かせてある主柱の先端部にフックを掛けて、ウィンチを巻き上げて主柱を起こし垂直に設置する機能を有する。
▲３▼防雪柵の主柱を倒す時は、その装置を主柱の場所まで移動させて固定し、垂直に立っている主柱の先端にフックを掛け、主柱のロックを解除し、ウィンチを緩めて主柱を安全に横に倒すことができる機能をそなえている。
以上からなる防雪柵主柱立て込み装置。
(57)【要約】【課題】電気コンセントの、プラグが誤って抜けるのを防ぎ、且つプラグ部分にほこりがたまるのを防止する。【解決手段】電気コンセント（１）に、両面粘着テープ（２）で、プラグカバー（４）を取り付け、プラグカバー（４）にプラグコード部を巻き付け、直接プラグに張力が掛からないようにする。【選択図】  図１
0003101521.tif 000002
【実用新案登録請求の範囲】
【請求項１】
電気コンセントの、プラグが容易に抜けることを防止し、且つプラグにほこりがたまるのを防止するカバー。
【考案の詳細な説明】
【考案の詳細な説明】
【技術分野】
【０００１】この考案は、電気コンセントのプラグが、誤って抜けるのを防ぎ、また、プラグにほこりがたまり、漏電になることを防止するカバーの考案である。
【背景技術】
【０００２】従来は、誤ってコードに足などを引っかけ、プラグが容易に抜けた。また、プラグにほこりがたまり漏電の危険があった。
【考案が解決しようとする課題】
【０００３】電気コンセントの、プラグが容易に抜けることを防ぎ、且つプラグにほこりがたまるのを防止する。
【課題を解決するための手段】
【０００４】プラグ部分にカバーを取り付け、プラグのコード部分をカバーで保持し、直接プラグに張力が掛からないようにする。
【実施例】
【０００５】（イ）電気コンセント（１）に、両面粘着テープ（２）で、プラグカバー（４）を取り付ける。
（ロ）プラグカバー（４）に、プラグのコード部（５）を巻き付ける。
【考案の効果】
【０００６】誤って電気コンセントのプラグが抜けないため、常時通電が必要な機器に与えるトラブルを防ぎ、且つほこり付着による、漏電発火を防止できる。
【図面の簡単な説明】
【０００７】
【図１】  本考案の概要図
【図２】  本考案の実施図
【符号の説明】
【０００８】１．電気コンセント
２．両面粘着テープ
３．プラグ
４．プラグカバー
５．プラグコード部
【図１】
0003101521.tif 000003
【図２】
0003101521.tif 000004
【手続補正書】
【提出日】平成15年10月2日(2003.10.2)
【手続補正１】
【補正対象書類名】実用新案登録請求の範囲
【補正対象項目名】全文
【補正方法】変更
【補正の内容】
【実用新案登録請求の範囲】
【請求項１】
電気コンセントプラグに、両面粘着テープでカバーを取付、そのカバーに、プラグのコード部を巻き付けることにより、プラグが容易に抜けることを防止し、且つプラグにほこりがたまるのを防止する。
【手続補正書】
【提出日】平成15年12月15日(2003.12.15)
【手続補正１】
【補正対象書類名】実用新案登録請求の範囲
【補正対象項目名】全文
【補正方法】変更
【補正の内容】
【実用新案登録請求の範囲】
【請求項１】
電気コンセントに両面粘着テープで取り付けでき、切り込み部分にプラグのコード部を巻き付ける形状を有したプラグカバー。
(57)【要約】      （修正有）【課題】長時間外出する場合でも、水が不足したり腐敗する心配が少なく、餌にアリ、蛞蝓、ゴキブリ等が浸入しない優れた犬猫の餌入れ容器を提供する。【解決手段】本考案の犬猫の餌入れ容器は、水入れ5と外側の水溜め2を流通させる穴3を設けたことを特徴としている。外側の水溜め2に水の腐敗を防ぐためのトルマリン石等を入れて使用する事もできる。外側の水溜めと水入れが流通する穴がある為、水入れに水が減っても水溜の水が流通する穴を通って水入れのほうに入るので、水が汗水することが少なく、アリ、蛞蝓、ゴキブリ等が浸入しない。【選択図】図３
0003101528.tif 000002
【実用新案登録請求の範囲】
【請求項１】
餌入れと水入れを一体化し、外側に水溜を設け、その水溜めと水入れ
を流通させる穴をつくり、水の汗水を防ぎ、水の腐敗を少なくしてアリ
、蛞蝓、ゴキブリなどが浸入出来ない事を特徴とする。
【考案の詳細な説明】
【技術分野】
【０００１】
本考案は、犬猫の餌入れ容器の改良、特に水入れ、外側の水溜め、水
入れと外側の水溜めを流通させる穴を設けた犬猫の餌入れに関する。
【背景技術】
【０００２】
従来、犬猫の餌入れ容器は、餌と水の容器が別になっており、長時間
外出をすると、水の腐敗があり、餌にアリ、蛞蝓、ゴキブリ等が浸入し
、餌に臭いが付くため、犬猫が餌を残すことが多い。
【特許文献１】実開平７−１８５４６号公報
【考案の開示】
【考案が解決しようとする課題】
【０００３】
そこで、長時間外出する場合でも、水が不足したり腐敗する心配が少
なく、餌にアリ、蛞蝓、ゴキブリ等が浸入しない優れた犬猫の餌入れを
提供することを目的とする。
【課題を解決するための手段】
【０００４】
上記課題を解決する為に、本考案の犬猫の餌入れ容器は、水入れと外
側の水溜めを流通させる穴を設けたことを特徴としている。ここで、外
側の水溜めに水の腐敗を防ぐためのトルマリン石等を入れて使用する事
もできる。外側の水溜と水入れが流通する穴がある為、水入れの水が減
っても水溜めの水が流通するあ穴を通って水入れのほうに入るので、水
が汗水することが少なく、アリ、蛞蝓、ゴキブリ等が浸入しない。
【考案の効果】
【０００５】
以上説明したように、請求項１によれば、餌入れの外側に水溜を設け
、それがお掘りの役目をしているので、アリ、蛞蝓、ゴキブリ等が浸入
できず、餌に臭いが付き、残すことがなくなる。長時間の外出でも安心
です。餌を捨てることがなく、無駄にならない。また、外側の水溜に、
水の腐敗を少なくするトルマリン石等を入れて使用するので衛生的で、
美味しい水を飲ませることが出来る。
【考案を実施するための最良の形態】
【０００６】
以下、本考案の実施の形態を図面に基いて具体的に説明する。図面に
おいて、図１上図は、本考案の犬猫餌入れ容器の上部から見た図、下図
は、実施例の断面図、図２は斜面説明図である。
【０００７】
図１に於いて、犬猫の餌入れ容器は、餌入れと水入れに仕切りがあり
、外側に水溜を設け、水入れと水溜を流通させる穴をあけてある。
【０００８】
図２による犬猫の餌入れ容器（１）は、実施例の断面図である。水入
れ（５）に水を入れ、水入れ（５）と水溜め（２）を流通する穴（３）
を通り、外側の水溜め（２）に水が入る。水は、水入れ（５）外側
の水溜め（２）このどちらから注いでも同じである。
【０００９】
図３に於いて、犬猫の餌入れ（１）本体には、外側の水溜め（２）が
、お掘りの様に成っているので、アリ、蛞蝓、ゴキブリ等が浸入できな
い様な形状に成っている。
【００１０】
図４に於いて、犬猫の餌入れ容器（１）の外側の水溜め（２）に水の
腐敗を防ぐトルマリン石（６）等を使用する事により、長時間外出して
も、水の腐敗がない。
【図面の簡単な説明】
【００１１】
【図１】犬猫の餌入れ容器の平面図
【図２】実施例の断面図
【図３】犬猫の餌入れ容器の斜視図
【図４】トルマリン石等を使用した実施例の断面図
【符号の説明】
【００１２】
（１）犬猫の餌入れ容器
（２）餌入れ容器の外側の水溜め
（３）水入れ（５）と外側の水溜め（２）の水が流通する穴
（４）餌入れ部
（５）水入れ部
（６）トルマリン石
【図１】
0003101528.tif 000003
【図２】
0003101528.tif 000004
【図３】
0003101528.tif 000005
【図４】
0003101528.tif 000006
【手続補正書】
【提出日】平成15年12月11日(2003.12.11)
【手続補正１】
【補正対象書類名】実用新案登録請求の範囲
【補正対象項目名】全文
【補正方法】変更
【補正の内容】
【実用新案登録請求の範囲】
【請求項１】
餌入れと水入れを一体化し、外側に水溜を設け、その水溜めと水入れ
を流通させる穴をつくり、水の汗水を防ぎ、水の腐敗を少なくしてアリ
、蛞蝓、ゴキブリなどが浸入出来ない事を特徴とする犬猫の餌入れ容
器。
(57)【要約】      （修正有）【課題】お手洗い時の飛水汚れを解消する。【解決手段】水道の蛇口、水が流れて行くユニット部分全体を爽やかな色のアクリル板１を使いドーム型でスッポリ覆う。取りつけは手間のかからない粘着テープ（両面テープ）を使用するか、または完全固定型のネジ２留めとする。【選択図】図１
0003101527.tif 000002
【実用新案登録請求の範囲】
【請求項１】
特に不特定、多人数で利用するトイレお手洗いの水道蛇口一帯に水が散乱して見苦しくまた不潔です。この状態を解消する為の飛水防止カバーです。
【考案の詳細な説明】
【技術分野】
【０００１】  本考案は多人数利用のトイレ、お手洗い時の飛水汚れを解消する防止カバーに関するものである。
【背景技術】
【０００２】  飛水によりトイレお手洗いの水道蛇口回りが、水びたしで見苦しく迷惑だった。
【考案の開示】
【考案が解決しようとする課題】
【０００３】  トイレお手洗い場で手を洗う時、飛水で蛇口付近は水溜りです。その為前かがみの姿勢になるとネクタイ、衣類を汚し、またバック紙袋等を置く事も出来ない。この状況を解決しようとするものである。
【課題を解決するための手段】
【０００４】  不特定多人数が利用するお手洗い水道蛇口全体をドーム形状の板で覆い物理的に飛水を防止して水びたしを解決します。
【考案の効果】
【０００５】  トイレお手洗い水道蛇口は飛水がなく、いつもきれいで清潔。また清掃係員の掃除時間が省け人件費削減にも寄与できます。
【考案の実施するための最良の形態】
【０００６】  水道の蛇口、水が流れて行くユニット部分全体を爽やかな色のアクリル板を使いドーム型でスッポリ覆う。取りつけは手間のかからない粘着テープ両面テープ使用。または完全固定型のネジ留めの二種類。
【実施例】
【０００７】  図面１の全体図で、番号１は半透明の化粧アクリル板。場所に合わせていろんな色が可能です。形状も簡単。テープ留めなら取り付けも簡単。番号２はネジ留めです。
【図面の簡単な説明】
【０００８】【図１】全体図  番号１  アクリル板  番号２  ネジ留め部
【図２】正面図
【図３】上面図
【図４】横面図
【図１】
0003101527.tif 000003
【図２】
0003101527.tif 000004
【図３】
0003101527.tif 000005
【図４】
0003101527.tif 000006
【手続補正書】
【提出日】平成15年11月26日(2003.11.26)
【手続補正１】
【補正対象書類名】実用新案登録請求の範囲
【補正対象項目名】全文
【補正方法】変更
【補正の内容】
【実用新案登録請求の範囲】
【請求項１】
水道蛇口全体を覆う為に使用するドー厶形状の飛水防止カバー
【請求項２】
カバーの材質が半透明の化粧アクリル板であることを特徴とする請求項１に記載の飛水防止カバー
(57)【要約】【課題】縦型の風車は既にあるが固定羽の場合はある方角では風力を回転力に伝わるが回転した事により方角が変わると今度は逆に回転するように風力が作用し一定方向の強い回転力を得られない。【解決手段】羽の中央より偏よった部分を支点に回転するように取り付け風に対する角度により調整角度内で羽が動く事により風力を受ける場合と風向に逆らわずに風力を受け流す場合があり風車が一定方向に回転するようにする。【選択図】「図１」
0003101541.tif 000002
【実用新案登録請求の範囲】
【請求項１】
風車の羽について、風との角度により風を受ける場合と受け流す場合をつくり一定方向に回転するようにする。
【考案の詳細な説明】
【技術分野】
【０００１】本考案は風力を回転力に変換する風車の羽に関する事。
【背景の技術】
【０００２】風力により風車を回転させ発電等に利用するもの。
【考案の開示】
【考案が解決しようとする課題】
【０００３】縦型の風車は既にあるが固定羽の場合はある方角では風力を回転力に伝わるが回転した事により方角が変わると今度は逆に回転するように風力が作用し一定方向の強い回転力を得られない。
【課題を解決しようとするための手段】
【０００４】羽の中央より偏よった部分を支点に回転するように取り付け風に対する角度により調整角度内で羽が動く事により風力を受ける場合と風向に逆らわずに風力を受け流す場合があり風車が一定方向に回転するようにする。
【考案の効果】
【０００５】風に対する抵抗が少なく弱風でも回転する。
風向きはどちらからでも同じように回転する。
簡単で型の大小は自由な為、一般家庭用にも向いている。
【考案を実施するための最良の形態】
【０００６】風力発電への利用等クリーンエネルギーとして利用。
【図面の簡単な説明】
【０００７】
【図１】    本考案の実施態様示す図である。平面図は実施時の風と羽の動きを示したものである。１．羽が風上の時は右方向に力を受ける角度に止まるように調整２．右に回転すると更に強く回転力を受ける３．更に回転すると羽の裏側に風を受け羽は風下に回転し風の抵抗を受けなくなる。４．更に回転に従い風に逆らわないように羽は回転し１．に戻る。側面図は同機器の構造概要を示したものである。
【符号の説明】
【０００８】    ▲１▼シャフト
▲２▼羽支え
▲３▼羽
▲４▼羽支点
▲５▼羽の可動範囲
【図１】
0003101541.tif 000003
【手続補正書】
【提出日】平成15年12月12日(2003.12.12)
【手続補正１】
【補正対象書類名】実用新案登録請求の範囲
【補正対象項目名】全文
【補正方法】変更
【補正の内容】
【実用新案登録請求の範囲】
【請求項１】
シャフト▲１▼を軸として羽支え棒▲２▼とその先端付近に取り付けた羽▲３▼が回転する縦型風車に関する考案で
風車羽を支える支点▲４▼を羽の中央より偏った点に設定し、風が当たると支点の左右面積が異なる羽に受ける風力差によって羽が回転するような構造とし、その可動範囲を一定の範囲内▲５▼しか動かないように制限を加えた構造を有する可動式風車羽。
(57)【要約】      （修正有）【課題】クロス貼りボード用としてプラスチック材を用いた皿ネジ状アンカーをボードへねじ込む際、クロスにダメージを与えず、ボード下地位置に影響されることなく装着できる。【解決手段】ボードに下穴を開けねじ込むアンカー構造にすることでアンカーをボードへねじ込み装着時、クロス貼りボードのクロスへダメージを与えることがなく、アンカー全長を市販ボードの薄物と同様とすることによりボード固定用下地材の位置にアンカー位置が影響されることがなくなり、小型、簡素化することでコスト低減になる。【選択図】図１
0003101550.tif 000002
【実用新案登録請求の範囲】
【請求項１】
クロス貼りボード用としてプラスチック材を用いた皿ネジ状アンカーをねじ込む際、下穴を開ける構造とすることで、クロスにダメージを与えず装着できるアンカー。
【請求項２】
クロス貼りボード用としてプラスチック材を用いた皿ネジ状アンカーをねじ込む際、下穴を開ける構造とすることで、アンカーの全長を市販ボードの最小板厚と同等にすることが可能となり、ボード下地位置に影響されることなく装着できるアンカー。
【考案の詳細な説明】
【技術分野】
【０００１】
本考案は主としてクロス貼り石膏ボードにビス等をねじ込む際用いるアンカーに関するものである。
【背景技術】
【０００２】
従来のアンカーは下穴なしで挿入できるが、クロス貼りボードの場合、貼ってあるクロスにダメージを与え易い欠点を有していた。
【０００３】
下穴を開けずねじ込む場合下穴をアンカー自体で開ける為、アンカー全長が長くなり、市販ボードの最小板厚と同等にすることが不可能であった。ボードの厚さより長いアンカーは下地材とボードの固定箇所で使用できず、下地材有無の煩雑な確認作業が必要である。
【考案の開示】
【考案が解決しようとする課題】
【０００４】
クロス貼りボードにアンカーをねじ込む際、クロスに影響を与えず美麗に装着する。
【０００５】
ボード固定の下地材の有無にかかわらずアンカーを使用する。
【０００６】
本考案は上述の点に鑑みてなされたもので、クロス貼りボードに下穴を開ける構造とすることでボードにアンカーをねじ込む際、クロスにダメージを与えず装着できる。
【０００７】
アンカーの全長を市販ボードの最小板厚と同等にすることで、ボード下地位置に影響されることなくアンカーを装着できる。
【０００８】
ボードに下穴を開けねじ込むアンカー構造にすることでアンカーをボードへねじ込み装着時、クロス貼りボードのクロスへダメージを与えることがない。
【０００９】
ボードに下穴を開けねじ込むアンカー構造にすることで全長を縮め、市販ボードの薄物と同様とすることによりボード固定用下地材の位置にアンカー位置が影響されることがなくなり、小型、簡素化することでコスト低減を可能にした。
【考案の効果】
【００１０】
クロスを貼ったボードに於いて、下穴を開ける構造とすることで、クロスにダメージを与えずアンカーを装着できる。
【００１１】
下穴を開ける構造とすることでアンカーの全長を市販ボードの最小板厚と同等にすることが可能となり、ボード下地位置に影響されることなく装着できる。    
【考案を実施するための最良の形態】
【００１２】
クロスを貼ったボードに下穴を開けドライバー等でアンカーを停止位置までねじ込む際、クロスに引っかかり、破損させることなく装着できる。アンカーのビス導入穴にビスをねじ込みアンカースリット部がビスにより押し広げられことにより、ボードとの固定強度を高める。
【００１３】
アンカー全長を市販ボードの薄物と同様とすることによりボード固定用下地材の位置に影響されることがなく自在にアンカー位置を選定できる。
【００１４】
請求項1では、クロスを貼ったボードに本アンカーをねじ込む際、下穴を開けておくことでクロスにダメージを与えることなく美麗に装着できる。
【００１５】
請求項２では、本アンカーをボードへ下穴を開けて装着する構造とすることで全長を縮め、アンカーの全長を市販ボードの最小板厚と同等にすることで、ボード固定用下地材の位置にアンカー位置が影響されることがなくなり、装着時にボード下地材の位置確認の煩雑な作業を省くことができ、同時に小型簡素化によりコスト低減を可能にした。
【実施例１】
【００１６】
図２に於いてｆｉｇ．１はボードに下穴を開ける。
【００１７】
図２に於いてｆｉｇ．２はドライバー等でアンカーをボードへねじ込む。
【００１８】
図２に於いてｆｉｇ．３はアンカーへビスをねじ込む。
【００１９】
図２に於いてｆｉｇ．４は固定物取り付け完了。
【産業上の利用可能性】
【００２０】
アンカー自体の下穴を開ける構造を排除することにより、クロス貼りボードのクロスにダメージを与えることなく装着でき、ボード固定用下地材の位置に影響されずアンカーをしようでき、簡素、小型化することでコストの軽減が図れる。
【図面の簡単な説明】
【００２１】
【図１】アンカーの説明図である。
【図２】ボードへアンカーをねじ込む工程図である。
【符号の説明】
【００２２】
１．  アンカー本体
２．  アンカー皿部
３．  アンカースクリュー部
４．  アンカースリット部
５．  ドライバー用溝
６．  ビス導入穴
７．  アンカー装着下穴
８．  ボード
９．  アンカー
１０．  ドライバー
１１．  ビス
１２．  固定物
【図１】
0003101550.tif 000003
【図２】
0003101550.tif 000004
【手続補正書】
【提出日】平成15年12月10日(2003.12.10)
【手続補正１】
【補正対象書類名】実用新案登録請求の範囲
【補正対象項目名】全文
【補正方法】変更
【補正の内容】
【実用新案登録請求の範囲】
【請求項１】
導入部とスクリュー部とアンカー皿部から成り、その皿部にねじ込み用ドライバー溝と中心部にビス等のねじ込みを容易にするビス導入穴を配し、クロスを貼った石膏ボードに装着する際、ボードを削らない構造とすることでクロスを巻き込むことなく装着できる合成樹脂製石膏ボード用アンカー。
【請求項２】
全長を市販石膏ボードの最小厚さと同等とすることでボードを固定する下地の位置に影響されることなく装着できる請求項１記載の石膏ボード用アンカー。
(57)【要約】【課題】  ニップル本体の取付、取外しを容易にし、グリス注入作業場を広くし、回転物のグリス注入が、その対象物の停止状況に左右されずに迅速に行える様にする。【解決手段】  ニップル口を反対方向に二ヶ所設け、形状をＴ字型にして、手で回しやすく、常に注入し易い位置からグリスを注入出来るようにした。【選択図】図１
0003101546.tif 000002
【実用新案登録請求の範囲】
【請求項１】
二ヶ所のニップル口は、其々反対方向に向く。さらに人手で脱着しやすいよう、横から見るとＴ字型をなしている金属部品。
【考案の詳細な説明】
【考案の詳細な説明】
【技術分野】
【０００１】    本考案は、機械駆動部にグリスを抽入する為に用いるニップルに、注入口を反対方向に二ヶ所設け、機械停止時に、グリス注入作業員が作業しやすい位置を二ヶ所から選択できる様にしたものである。また、ニップル本体の脱着をしやすい様、形状をＴ時型にし、取り外しの場合、工具で締め付けを緩めた後、直ちに人手で取り外しが可能なようにコック状になっている。
【背景技術】
【０００２】    従来、ニップルは、グリス注入口が一つだけで、形状は、注入口が付け根から垂直に伸びているか、またはＬ字型に曲がっているだけで、機械にグリスを注入する作業員は、一ヶ所からしか作業出来ず、ニップル配位置が狭い所に有ると作業員は無理な体勢で作業し、体調に不調を来すことがあった。
例えば、大型自動車下部のシャフト結合部のグリス注入を地面から行う場合、結合部のＬ字型ニップルが上向きになった為作業が出来ないようなことをいう。
【考案が解決しようとする課題】
【０００３】    グリス注入対象物が回転物だった場合、グリス注入作業位置が異なり、作業員は狭い立ち位置で作業しなければならない問題点があった。
グリス注入作業位置が一ヶ所しかない場合で、かつ、手を機械の狭間に入れないといけない事態があり、ニップル形状がＬ字で口が作業員の位置から反対を向いていると作業が出来ない問題点があった。例えば、大型自動車底部のシャフト結合部の整備など。
他、ニップルそのものを脱着する場合、ニップルは丸っこい形状をしていて、手で回す事が困難だった。
【課題を解決するための手段】
【０００４】    上記課題を解決する為、ニップル口を反対方向二ヶ所に設け、従来の反対側からでもグリス注入が出来、なおかつ、回転物のニップル口は、必ずグリス注入可能な位置を向いているようにする。さらに、形状をＴ字にすることで、手回しをしやすくする。尚、内部構造は、従来品に習い、グリス注入口に球体１をあてがい、それを中から外へスプリング２で押すことにより、グリス逆流を防止する形態を採用する。
【考案を実施するための最良の形態】
【０００５】    本考案は、ニップルの脱着を、蛇口ハンドルを回す如く容易にし、グリス注入作業の立ち位置を選択出来るようにし、シャフトなどの回転物がどの位置に停止しても体勢を代えることなくグリス注入作業を出来るようにしたのもである。
【図面の簡単な説明】
【図１】Ｔ字型変形ニップルの斜視図である。
【図２】Ｔ字型変形ニップルの横からの断面図である。
【符号の説明】
１  球体
２  スプリング
【図１】
0003101546.tif 000003
【図２】
0003101546.tif 000004
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
Ｔ字状の本体を有し、注入口をそれぞれ反対方向に向くように２ヶ所に設けたグリスニップル。
(57)【要約】【課題】  スーパーなどで購入した商品の入った重たいビニール袋を、手や指に負担をかけずに楽に運搬するための器具を提供する。【解決手段】  太い円筒（１）の両端に、袋止め突起（２）と、袋止め（３）を設け、そこにビニール袋の取っ手をかけ、太い円筒部分（１）を手で持って運搬することで、手や指への痛みや負担を大幅に軽減することができる。【選択図】  図１
0003101549.tif 000002
【実用新案登録請求の範囲】
【請求項１】
太い円筒（１）に、袋止め突起（２）と袋止め（３）を設けることを特徴とする荷物運搬補助具。
【考案の詳細な説明】
【技術分野】
【０００１】この考案は、スーパーなどで購入した商品の入った重たいビニール袋を、少ない負担で運搬することを可能にする補助具に関するものである。
【背景技術】
【０００２】従来より、商品を運搬しやすくするものとして、大きな箱に入った製品のまわりに巻かれた紐にコの字型のプラスティックの取っ手を取りつけるものがある。しかしこれは箱製品に取っ手をつけるということ専用の技術であり、取っ手自体の形状から、ビニール袋の運搬には適さず、強引に重たいビニール袋を運搬したとしても取っ手が細いために圧力が集中し、手や指への痛みは解消されない。そしてビニール袋を運搬しやすくする専用の技術は無いのが現状である。
【考案の開示】
【考案が解決しようとする課題】
【０００３】重たいビニール袋を運搬するさい、手や指への負担や痛みを軽減し、運搬しやすくするというビニール袋専用の技術を目指したものが今回の考案である。
【課題を解決するための手段】
【０００４】太い円筒（１）の両端に、袋止め突起（２）や、袋止め（３）を取りつけ、そこにビニール袋の取っ手をかけ、太い円筒部分（１）を持って運搬することで手や指への痛みや負担を大幅に軽減することができる。
【考案の効果】
【０００５】本考案により、重たいビニール袋が手や指に食い込み手を痛めてしまう危険を大きく軽減し、少ない負担で運搬することができるようになる。
【考案を実施するための最良の形態】
【０００６】強度のあるプラスティックや軽い金属などで器具は作られる。製作例として、プラスティックで器具を作る際は、本体となる太い円筒（１）をつくるときに、縦方向に半割れの部品（Ａ）（Ｂ）を型でつくり、そのさい袋止め突起（２）や袋止め（３）を一緒に型で形作り、２つの半割れの部品（Ａ）（Ｂ）をくっつけネジなどで固定する（Ｃ）ことで器具を完成する。
【実施例】
【０００７】本体となる太い円筒（１）は、形状をエンタシス式にすることでより手になじみ、握りやすくなる。
【産業上の利用可能性】
【０００８】主婦層を中心に、スーパーなどでの購買者が購入した商品をいれたビニール袋を運搬するさいに利用できる。
【図面の簡単な説明】
【０００９】
【図１】本考案の斜視図である。
【図２】本考案の組みたて図である。
【符号の説明】
１  太い円筒  ２  袋止め突起  ３  袋止め
Ａ  半割れの部品の片方  Ｂ  半割れの部品のもう片方
Ｃ  ネジなどで固定する様子
【図１】
0003101549.tif 000003
【図２】
0003101549.tif 000004
(57)【要約】【目的】  身長計の支柱を設けず家庭に備え付けられる様、箱型の体重計の内部の隙間に巻尺を取り付け、体重も身長も計れるようにした。【構成】  従来の身長計は、台に支柱が立ててあり、それで計っていた。そこで、家庭に備え付けられる様、箱型の体重計の内部の隙間に、巻尺を取り付ける。箱型の体重計の上部に巻尺の読み取り窓を設け、円筒に中心軸を通し、窓に水平に空回りする様にして、中心軸を箱型の体重計の内部の隙間に固定させる。円筒上に巻尺を通し、そこに起点を設ける。箱型の体重計の後ろ上部に巻尺の引き出し口を設け引き出し、先端部分に頭あて部を直角に取り付る。箱型の体重計の後ろを壁や柱に接し、巻尺を延ばし頭あて部を頭にあて、起点に来た巻尺の数字を窓から身長として読み取る。体重も身長も計れる１台２役。【選択図】  「図１」
0003101547.tif 000002
【実用新案登録請求の範囲】
【請求項１】
箱型の体重計の内部の隙間に巻尺を取り付けた。
【考案の詳細な説明】
【考案の詳細な説明】
「考案の目的」  身長計の支柱を設けず家庭に備え付けられる様、箱型の体重計の内部の隙間に巻尺を取り付け、体重も身長も計れるようにした。
「考案の構成」  従来の身長計は、台に支柱が立ててあり、それで計っていた。そこで、家庭に備え付けられ身長が計れるようにした。それは、箱型の体重計の内部の隙間に巻尺を取り付ける。箱型の体重計の上部に巻尺の読み取り窓を設け、円筒に中心軸を通し、窓に水平に空回りする様にして、中心軸を箱型の体重計の内部の隙間に固定させる。円筒上に巻尺を通し、そこに起点を設ける。箱型の体重計の後ろ上部に巻尺の引き出し口を設け引き出し、先端部分に頭あて部を直角に取り付ける。箱型の体重計の後ろを壁や柱に接し巻尺を延ばし、頭あて部を頭にあて、起点に来た巻尺の数字を窓から身長として読み取る。読み取り窓に、拡大レンズを取り付ける。体重も身長も計れる１台２役。
【考案の効果】
簡便で家庭でも備え付けられ体重も身長も計れる。
【図面の簡単な説明】
【図１】箱型の体重計の引き出し口から巻尺を出している立体図
【図２】巻尺、空回りする円筒、頭あての立体図
【符号の説明】
Ａ  箱型の体重計
Ｂ  巻尺
Ｃ  空回りする円筒
Ｄ  引き出し口
Ｅ  巻尺に直角に取り付けた頭あて
Ｆ  起点に来た巻尺の数字を身長として読み取る窓
Ｇ  体重計の体重を読み取る窓
【図１】
0003101547.tif 000003
【図２】
0003101547.tif 000004
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
「この考案は、内部の隙間に巻尺を取り付けた箱型の体重計。」
(57)【要約】      （修正有）【課題】分量感、立体感、広面積のビーズ作品を簡単に作れるようにした多数孔ビーズを提供する。【解決手段】一方向孔ビーズに、多数および多方向の孔を加えたビーズであって、多方向に多数の紐または糸をとおす事を可能にし複雑且つ分量感のある作品を簡単に作ることが出来る。これによりインテリア類（家具、小物）服装飾等、様々な分野で一層多目的、広範囲に使用できるようになる。【選択図】図２
0003101545.tif 000002
【実用新案登録請求の範囲】
【請求項１】
手芸装飾用のビーズで従来の一方向孔ビーズに、多数および多方向の孔を加え多方向に多数の紐または糸をとおす事を可能にし，複雑且つ分量感のある作品を簡単に作ることが出来る事を特徴とするビーズ。
【考案の詳細な説明】
【技術分野】
【０００１】本考案は、ビーズ作品をより大きく重量感及び立体感を簡単に付加するに関する。
【背景技術】
【０００２】これは、ビーズに一つ以上あるいは多方向に孔をあけて、多数孔ビーズにすることによって沢山の種類の糸や紐を通すことが出来るようになり、その多数孔ビーズと従来のビーズを組み合わせ繋げることによって複雑な作品を簡単に作ることが出来る。従来ビーズは一つ或いは一方向のみの孔なので、重量感、立体感および広面積の作品を作るには非常に複雑な方法で糸や紐を通すしかなかった。
【考案の開示】
【考案が解決しようとする課題】
【０００３】しかしながら、従来のビーズは一つ或いは一方向のみの孔なので、分量感や立体感があり且つ広面積のビーズ作品の制作には複雑な作業が必要であった。そこで本考案は、前述の課題を解決する為に、従来のビーズに多数および多方向の孔をあけこれを使用することによって、特に初心者や独学者でも簡単に大きくかつ複雑なビーズ作品を作ることを目的とする。
【課題を解決するための手段】
【０００４】課題を解決する為の手段として、従来の一方向孔ビーズに、多数および多方向の孔を加えたビーズであって、多方向に多数の紐または糸をとおす事を可能にし複雑且つ分量感のある作品を簡単に作ることが出来る事を特徴とするビーズ。
【考案の効果】
【０００５】以上説明したように、本考案のビーズによれば今までのような煩わしい方法を省き、複雑且つ大きな作品を簡単に作成することが出来る。又、従来のビーズは主として装身具類（アクセサリー）に多く使われていたが、この考案のビーズで立体化、広面積化に出来ることによりインテリア類（家具、小物）服装飾等、様々な分野で一層多目的、広範囲に使用できるようになる。
【考案を実施するための最良の形態】
【０００６】図面を参照して、本考案を説明すると、図１は従来ビーズの形態であり、図２は本考案ビーズの部分断面図である。図３は従来ビーズのみの作品例。図４は本考案ビーズと従来ビーズを使用した作品例。
【図面の簡単な説明】
【０００７】図１従来の手芸装飾用ビーズの断面図，図２は本考案ビーズの断面図で矢印は孔に糸又は紐の通る状態。図３は従来の手芸装飾用ビーズのみの作品例斜視図。図４は本考案ビーズによる作品例斜視図。
【符号の説明】
【０００８】図１、図２の（イ）（ロ）（ハ）・・・はビーズの形態で矢印は孔を通る糸又は紐。
【図１】
0003101545.tif 000003
【図２】
0003101545.tif 000004
【図３】
0003101545.tif 000005
【図４】
0003101545.tif 000006
【手続補正書】
【提出日】平成15年12月15日(2003.12.15)
【手続補正１】
【補正対象書類名】明細書
【補正対象項目名】０００７
【補正方法】変更
【補正の内容】
【０００７】
【図１】従来の手芸装飾用ビーズの断面図
【図２】本考案ビーズの断面図
【図３】従来の手芸装飾用ビーズのみの例斜視図
【図４】本考案ビーズ及び従来ビーズによる作品例斜視図
(57)【要約】【課題】景品を安定して支持でき、景品の取り出しが容易な包装箱を提供する。【解決手段】側板１乃至３を繋いで角柱状の周壁をなし、底面を底板５，６で閉止し、下方に商品収納部１６を、上方に景品収納部１７をそれぞれ設け、天面を蓋板８で閉止する景品収納部付き包装箱において、前記周壁をなす側板１乃至３に切裂帯１３を巡らせ、一側板３の上縁から折下板１０及び支持板１１を順次延出し、折下板１０を内側下方へ折り曲げると共に、支持板１１を対向する側板１へ向けて水平方向へ折り曲げ、支持板１１の上方を前記景品収納部１７とし、切裂帯１３の切断に伴い、景品収納部１７を商品収納部１６から分離すると、商品収納部１６の上端が開口すると共に、景品収納部１７の底面をなす支持板１１が開くようにする。【選択図】図３
0003101552.tif 000002
【実用新案登録請求の範囲】
【請求項１】
側板を繋いで角柱状の周壁をなし、底面を底板で閉止し、下方に商品収納部を、上方に景品収納部をそれぞれ設け、天面を蓋板で閉止する景品収納部付き包装箱において、前記周壁をなす側板に切裂帯を巡らせ、一側板の上縁から折下板及び支持板を順次延出し、折下板を内側下方へ折り曲げ、支持板を対向する側板へ向けて水平方向へ折り曲げて、支持板の上方を前記景品収納部とし、切裂帯の切断に伴い、景品収納部が商品収納部から分離するようにしたことを特徴とする景品収納部付き包装箱。
【考案の詳細な説明】
【技術分野】
【０００１】
この考案は、商品に付属させる景品の収納部を備えた包装箱に関するものである。
【背景技術】
【０００２】
従来、商品の販売促進キャンペーン等のため、商品に景品を付属させる際には、側板を繋いで角柱状の周壁をなし、底面を底板で閉止して、下方部分に商品を収納し、その上に景品を載せるように収納して、天面を蓋板で閉止する包装箱が使用されている。この包装箱から景品を取り出す際には、蓋板を開いて、景品を上方へ引き出す。
【考案の開示】
【考案が解決しようとする課題】
【０００３】
しかしながら、上記のような包装箱では、商品の上面が平坦な広い面でない場合、景品が不安定になることがあり、また、内箱に入った景品を包装箱から取り出す場合には、蓋板を開いても内箱と包装箱の間に指が入らず、内箱が取り出しにくいという問題もある。
【０００４】
そこで、この考案は、景品を安定して支持でき、景品の取り出しが容易な景品収納部付き包装箱を提供することを課題とする。
【課題を解決するための手段】
【０００５】
上記課題を解決するため、この考案は、側板を繋いで角柱状の周壁をなし、底面を底板で閉止し、下方に商品収納部を、上方に景品収納部をそれぞれ設け、天面を蓋板で閉止する景品収納部付き包装箱において、前記周壁をなす側板に切裂帯を巡らせ、一側板の上縁から折下板及び支持板を順次延出し、折下板を内側下方へ折り曲げ、支持板を対向する側板へ向けて水平方向へ折り曲げて、支持板の上方を前記景品収納部とし、切裂帯の切断に伴い、景品収納部が商品収納部から分離するようにしたのである。
【考案の効果】
【０００６】
このような包装箱では、商品及び景品を収納して封緘すると、景品が支持板に受け止められて、安定した状態で支持され、開封時には、切裂帯を切断し、景品収納部を商品収納部から分離すると、商品収納部の上端が開口すると共に、景品収納部の底面をなす支持板が開くので、景品を容易に取り出すことができる。
【考案を実施するための最良の形態】
【０００７】
以下、この考案の実施の形態を添付図面に基づいて説明する。
【０００８】
この包装箱のブランクでは、図１に示すように、側板１の一側縁に側板２が連設され、側板１の他側縁に側板２，３及び継代片４が順次連設されている。側板２の下縁には底板５が、側板１，３の下縁には底板６がそれぞれ連設され、側板２の上縁には蓋受片７が、側板１の上縁には蓋板８及び差込片９が順次連設されている。
【０００９】
側板３の上縁には折下板１０及び支持板１１が順次連設され、支持板１１の先端縁には指入用の切欠部１２が形成されている。側板１乃至３及び継代片４には、上縁との間に折下板１０の長さよりやや大きい間隔をあけて、ジッパ形の切裂帯１３が設けられ、側板１の中央部には、内部の商品を見せる窓穴１４が形成されている。
【００１０】
上記のようなブランクを組み立てて、図２に示すように、商品の飲料瓶Ｂと景品Ｃの入った内箱１５とを包装するには、側板１乃至３を角柱状をなすように折り曲げ、継代片４を反対側の側板２に貼り付けて周壁を形成し、底板５，６を一組ずつ貼り合わせ、底板６同士を噛み合わせて底面を閉止し、下方の商品収納部１６に飲料瓶Ｂを収納する。
【００１１】
次に、折下板１０を切裂帯１３へ向けて内側下方へ折り曲げ、支持板１１を対向する側板１へ向けて水平方向へ折り曲げて、飲料瓶Ｂのキャップに載せると、支持板１１の上方に景品収納部１７が形成される。この景品収納部１７に内箱１５を収納すると、内箱１５が支持板１１に受け止められて、安定した状態で支持される。
【００１２】
その後、蓋受片７を内側へ折り曲げ、蓋板８を閉じ、差込片９を蓋受片７と折下板１０の隙間に差し込むと、図３に示すように封緘され、この状態では、飲料瓶Ｂの胴部が窓穴１４から直接見えるので、購買意欲を喚起できる。また、切裂帯１３を切断して開封しない限り、景品Ｃの内箱１５が抜き取られることはない。
【００１３】
一方、この包装箱から飲料瓶Ｂ及び景品Ｃの内箱１５を取り出す際には、図４及び図５に示すように、切裂帯１３を全周に亘って切断すると、商品収納部１６の上端が開口するので、飲料瓶Ｂを上方へ持ち上げて取り出すことができる。また、内箱１５が自重で下降して、支持板１１が開くので、内箱１５を容易に取り出すことができる。
【図面の簡単な説明】
【００１４】
【図１】この考案に係る包装箱のブランクを示す図
【図２】同上の封緘前の状態を示す斜視図
【図３】同上の封緘状態を示す斜視図
【図４】同上の開封過程を示す斜視図
【図５】同上の開封状態を示す斜視図
【符号の説明】
【００１５】
１乃至３  側板
５，６  底板
８  蓋板
１０  折下板
１１  支持板
１３  切裂帯
１４  窓穴
１５  内箱
１６  商品収納部
１７  景品収納部
Ｂ  飲料瓶
Ｃ  景品
【図１】
0003101552.tif 000003
【図２】
0003101552.tif 000004
【図３】
0003101552.tif 000005
【図４】
0003101552.tif 000006
【図５】
0003101552.tif 000007
(57)【要約】      （修正有）【課題】日本茶及び紅茶のティーバッグ置きとして、ゆったりとした優雅な質感とともに、実用性を兼ね備えた容器とする。【解決手段】受け皿の形状は円形とし材質は細目の白粘土による陶器製とし、釉薬は織部、黄瀬戸、土灰、白萩の４種とし、ゆったり感と趣のある質感が得られた。また、水切りがついたことから清潔感がでた。把手は大きく平坦な形状として、握り易くしている。【選択図】図３
0003101555.tif 000002
【実用新案登録請求の範囲】
【請求項１】
水切りと収納皿の役割をする受け皿の部分を円形とし、厳選した釉薬を用いた陶器製として、優雅なつくりと使い易さを求めたティーバッグ置き。
【考案の詳細な説明】
【考案の詳細な説明】
【考案の開示】
［考案が解決しようとする課題］
【０００１】  食卓に置いて、愛着のわく優雅な雰囲気を持ち、しかも実用性に富むティーバッグ置き容器の作成
［課題を解決するための手段］
【０００２】  受け皿を円形とし、白粘土による陶器製とし、釉薬は織部、黄瀬戸、土灰、白萩の４種とした。
把手の部分を大きく握り易く工夫し、ティーバッグを乗せても移動が容易にできるようにした。
上段に１４個の水切り口を設け下段に水抜き口を設けた。
［考案の効果］
【０００３】  利用範囲が拡大しつつある日本茶、紅茶のティーバッグ置きとして、ゆったりとした質感と実用性を兼ね備えた清潔感のある食卓容器である。
【図面の簡単な説明】
【０００４】
【図１】      ティーバッグ置きふかん図
【図２】      ティーバッグ置き側面図
【図３】      ティーバッグ置き立体図
【符号の説明】
【０００５】  １  把手
２  水切り口
３  水抜き口
４  受け皿
５  高台そこ
寸法単位はミリメートル
【図１】
0003101555.tif 000003
【図２】
0003101555.tif 000004
【図３】
0003101555.tif 000005